(57)【要約】【課題】簡単かつコンパクトな構造であって、収納及び取り出しを容易にするＬ字状の六角棒スパナのスタンドを提供する。【解決手段】Ｌ字状の六角棒スパナのスタンド１１は、六角棒スパナの下端を載せる平坦な面を有する六角棒スパナ台１と、六角棒スパナ台の上方に六角棒スパナ径の大きさの順に並べて設けられた貫通孔２ａを有する支持部２と、六角棒スパナの向きを揃えるためのガイド３とを備える。このスタンドは、さらに、ガイドに一連の傾斜部を設け、補助台５で傾斜させることが好ましい。【選択図】図１
2012008377.tif 000002
【特許請求の範囲】
【請求項１】
Ｌ字状の六角棒スパナのスタンド（１１）であって、
六角棒スパナの下端を載せるための平坦な面を有する六角棒スパナ台（１）と、
前記六角棒スパナ台の上方に六角棒スパナ径の大きさの順に並べて設けられた貫通孔（２ａ）を有する支持部（２）と、
六角棒スパナの向きを揃えるためのガイド（３）とを備える
ことを特徴とする六角棒スパナのスタンド。
【請求項２】
前記ガイドは、一連の傾斜部を有する
ことを特徴とする請求項１記載の六角棒スパナのスタンド。
【請求項３】
前記支持部は、
正面及び裏面を略三角形とする厚板であり、
前記貫通孔は、
前記支持部の上面から前記支持部の下面まで鉛直に設けられている
ことを特徴とする請求項１又は２に記載の六角棒スパナのスタンド。
【請求項４】
前記支持部の上面は、正面方向に傾斜している
ことを特徴とする請求項３に記載の六角棒スパナのスタンド。
【請求項５】
前記貫通孔は、
前記六角棒スパナの長柄を前記長柄の周りに回転自在に保持するとともに、
前記六角棒スパナの重心を保持する
ことを特徴とする請求項１乃至４のいずれか１項に記載の六角棒スパナのスタンド。
【請求項６】
前記スパナ台は、
側面をＬ字状とする板で構成されている
ことを特徴とする請求項１乃至５のいずれか１項に記載の六角棒スパナのスタンド。
【請求項７】
さらに、補助台（５）を備え、
前記補助台は、
前記支持部を保持する保持部（５ｂ）と、
前記保持部を傾斜させて支持する支持部（５ａ）とを備える
ことを特徴とする請求項１記載の六角棒スパナのスタンド。
【請求項８】
前記補助台は、さらに、
前記支持部の保持位置を調節する調節手段（５ｃ）を備える
ことを特徴とする請求項７記載の六角棒スパナのスタンド。
【請求項９】
前記支持部は、
他の補助台の保持部を挿入する空間を形成し、
前記保持部は、
他の補助台に挿入する挿入部を備え、
補助台同士を並べる際、
一方の前記空間に他方の前記挿入部を挿入する
ことを特徴とする請求項７又は８に記載の六角棒スパナのスタンド。
【請求項１０】
前記貫通孔の径は、下端部よりも上端部の方が大きい
ことを特徴とする請求項１乃至９のいずれか１項に記載の六角棒スパナのスタンド。
【請求項１１】
前記貫通孔は、上端部の一部にテーパー部を有する
ことを特徴とする請求項１０記載の六角棒スパナのスタンド。
【請求項１２】
前記テーパー部の下端は、前記上端部よりも低い位置である
ことを特徴とする請求項１乃至９のいずれか１項に記載の六角棒スパナのスタンド。
【発明の詳細な説明】
【技術分野】
【０００１】
本発明は、収納及び取り出しが容易なＬ字状の六角棒スパナのスタンドに関する。
【背景技術】
【０００２】
Ｌ字状の六角棒スパナ（六角レンチ）は、一般に、例えばＪＩＳ（Japanese Industrial Standards、日本工業規格）等のような規格によって、大きさや形状等が定められている。サイズの異なる六角棒スパナを一つずつ揃えた１セットの六角棒スパナは、腰にぶら下げるホルダーや作業台などに置いて使用するスタンドなどに収納される。【０００３】
特許文献１は、サイズ順に並べてコンパクトに収納できる六角棒スパナのスタンドを開示している。特許文献２は、六角棒スパナ同士が重ならないようにして、出し入れを容易にした六角棒スパナのホルダーを開示している。
【先行技術文献】
【特許文献】
【０００４】
【特許文献１】米国特許出願公開第２００１／００１０２９１号明細書
【特許文献２】特開２０００−２１８５７３号公報
【発明の概要】
【発明が解決しようとする課題】
【０００５】
しかし、従来のスタンドやホルダーは、単純な構成であるが収納した際に六角棒スパナの向きがばらばらになって使いにくいものや、逆に操作性はよいが可動部分などがあり複雑な機構を備えたものが多く、単純な構成で操作性のよいスタンドは知られていなかった。【０００６】
本発明は、上記の課題に鑑みてなされたものであり、構造が簡単であり、機能的によくデザインされた、具体的には、収納及び取り出しが容易なＬ字状の六角棒スパナのスタンドを提供することを主たる技術的課題とする。
【課題を解決するための手段】
【０００７】
本発明に係る六角棒スパナのスタンドは、六角棒スパナの下端を載せるための平坦な面を有する六角棒スパナ台と、六角棒スパナ台の上方に六角棒スパナ径の大きさの順に並べて設けられた貫通孔を有する支持部と、六角棒スパナの向きを揃えるためのガイドとを備えることを特徴とする。【０００８】
このようにすると、収納されるＬ字状の六角棒スパナは、柄の周りに回転自在であるため貫通孔に六角棒スパナを挿入した時点では向きがバラバラとなっていても、ガイドによって向きが揃えられるため、その六角棒スパナを取り出し易くすることができる。特に、六角棒スパナの収納の際や収納後に本発明に係るスタンドを傾斜させると、ガイドが回転のストッパーとして機能するため、六角棒スパナは自重により柄の向きが揃えられる。【０００９】
本発明に係る六角棒スパナのスタンドのガイドは、一連の傾斜部を有することが好ましい。六角棒スパナはサイズ毎に柄の長さが異なっているため、六角棒スパナの柄の回転時にはそれぞれのサイズに応じてガイドを設ける必要がある。しかし、このようにすると、ガイドをコンパクトに簡単に構成し、それぞれのサイズの六角棒スパナの柄の回転のストッパーとして機能させることができる。【００１０】
本発明に係る六角棒スパナのスタンドの支持部は、正面及び裏面を略三角形とする厚板であり、本発明に係るスタンドの貫通孔は、支持部の上面から前記支持部の下面まで鉛直に設けられていることが好ましい。このようにすると、軽量化することができる。【００１１】
本発明に係る六角棒スパナのスタンドの支持部の上面は、正面方向に傾斜していることが好ましい。このようにすると、正面方向から貫通孔が見えるため、六角棒スパナを正面方向から収納し易くなる。また、その支持部の上面に各貫通孔に対応する六角棒スパナのサイズを明記しておいてもよい。【００１２】
本発明に係る六角棒スパナのスタンドの貫通孔は、六角棒スパナの長柄を長柄の周りに回転自在に保持するとともに、六角棒スパナの重心を保持することが好ましい。このようにすると、六角棒スパナの自重により簡単に柄を回転させることができる。【００１３】
本発明に係る六角棒スパナのスタンドの六角棒スパナ台は、側面をＬ字状とする板で構成されてもよい。このようにすると、六角棒スパナ台を簡単に構成することができる。また、六角棒スパナの下端部の周囲は、塵も溜まりにくい。【００１４】
本発明に係る六角棒スパナのスタンドの六角棒スパナ台は、さらに、補助台を備え、補助台は、支持部を保持する保持部と、保持部を傾斜させて支持する支持部とを備えることが好ましい。このようにすると、六角棒スパナの収納の際六角棒スパナの自重により柄の向きを揃えることができる。【００１５】
本発明に係る六角棒スパナのスタンドの補助台は、さらに、支持部の保持位置を調節する調節手段を備えることが好ましい。このようにすると、本発明に係る六角棒スパナのスタンドの傾斜を調節手段調整することができる。【００１６】
本発明に係る六角棒スパナのスタンドの補助台の支持部は、他の補助台の保持部を挿入する空間を形成し、本発明に係る六角棒スパナのスタンドの補助台の保持部は、他の補助台に挿入する挿入部を備え、補助台同士を並べる際、一方の空間に他方の挿入部を挿入するように構成することが好ましい。このようにすると、個々に補助台を並べるときよりも省スペースにすることができる。
【発明の効果】
【００１７】
本発明に係る六角棒スパナのスタンドでは、各サイズの六角棒スパナを柄の周りに回転自在にするとともに、ガイドをその回転のストッパーとしているため、六角棒スパナの柄の向きをガイドで揃えて六角棒スパナを収納することができる。
【図面の簡単な説明】
【００１８】
【図１】第１の実施形態の六角棒スパナのスタンドを示す斜視図
【図２】第１の実施形態の六角棒スパナのスタンドを示す図、（ａ）は上方から見た平面図であり、（ｂ）は正面から見た正面図
【図３】第１の実施形態の六角棒スパナのスタンドを示す図、（ａ）は正面から向かって右側から見た右側面図であり、（ｂ）は正面から向かって左側から見た左側面図
【図４】六角棒スパナを収納した第１の実施形態の六角棒スパナのスタンドを示す図
【図５】第２の実施形態の六角棒スパナのスタンドの補助台を示す斜視図
【図６】第２の実施形態の六角棒スパナのスタンドの補助台を示す図、（ａ）は上方から見た平面図であり、（ｂ）は正面から見た正面図
【図７】第２の実施形態の六角棒スパナのスタンドの補助台を示す図、（ａ）は正面から向かって右側から見た右側面図であり、（ｂ）は正面から向かって左側から見た左側面図
【図８】六角棒スパナのスタンドを補助台で保持した状態を示す斜視図
【図９】六角棒スパナを六角棒スパナのスタンドに収納する様子を示す図、（ａ）は六角棒スパナを貫通孔に挿入した直後の状態示す斜視図であり、（ｂ）は六角棒スパナの収納後の状態を示す斜視図
【図１０】（ａ）は六角棒スパナのスタンドの保持位置を変更した状態を示す斜視図であり、（ｂ）は六角棒スパナのスタンドの保持位置を変更した状態を示す側面図
【図１１】補助台を備える六角棒スパナのスタンドを一列に並べた状態を示す図
【図１２】補助台を備える六角棒スパナのスタンドを二列に並べた状態を示す図
【図１３】バーリング加工された板材とパイプとで構成された貫通孔の例を示す図、（ａ）は貫通孔の構成例を示す斜視図であり、（ｂ）は正面から見た図
【図１４】第４の実施形態の六角棒スパナのスタンドを示す斜視図
【図１５】テーパー部を有する貫通孔を示す図
【図１６】テーパー部を有する貫通孔の断面を上方から見た図
【発明を実施するための形態】
【００１９】
以下は本発明の実施態様について詳細に説明することを意図したものであり、請求項に記載された各発明を制限的に解釈するために用いられるべきものではない。
【００２０】
（第１の実施形態）
−六角棒スパナ−
図１は、第１の実施形態の六角棒スパナのスタンドを示す斜視図である。また、図２は、第１の実施形態の六角棒スパナのスタンドを示す図であり、図２（ａ）は、上方から見た平面図であり、図２（ｂ）は、正面から見た正面図である。また、図３は、第１の実施形態の六角棒スパナのスタンドを示す図であり、図３（ａ）は、正面から向かって右側から見た右側面図であり、図３（ｂ）は、正面から向かって左側から見た左側面図である。
【００２１】
これらの図に示すように、第１の実施形態の六角棒スパナのスタンド１１は、底板部１ａを有する六角棒スパナ台１と、貫通孔２ａを有する支持部２と、ガイド３とを備えている。六角棒スパナのスタンドの各部の材質は、例えば、鉄、アルミニウム等の金属、ステンレス鋼、合金、樹脂、セラミック等を用いることができる。六角棒スパナ台１、支持部２及びガイド３の各部は、溶接或いはネジ及び留め具、その他の接続手段によって接続される。
【００２２】
図２（ａ）に示すように、貫通孔２ａは、六角棒スパナを挿入するために断面が円形であり、各六角棒スパナのサイズの順に、厚板２ｂの下面に対して垂直に設けられている。貫通孔２ａの数は、収納する六角棒スパナの数に応じて適宜変更でき、それに伴って、支持部２の大きさを変更してもよい。貫通孔２ａの大きさは、それぞれの六角棒スパナを挿入したとき六角棒スパナが貫通孔２ａの周りに自由に回転できる程度のクリアランスを有すればよい。
【００２３】
図２（ｂ）に示すように、支持部２は、正面が略三角形であり、上面から下面に貫通する貫通孔２ａを備えた厚板２ｂからなる。貫通孔２ａの深さは、六角棒スパナのサイズに比例して長くすることが好ましい。こうすると支持部２がコンパクトになり、六角棒スパナを安定して貫通孔２ａで保持することができるためである。貫通孔２ａは、各サイズの六角棒スパナの重心を保持することが好ましい。六角棒スパナが倒れにくく、かつ、貫通孔２ａ内で回転し易くなるためである。
【００２４】
図２（ｂ）に示すように、厚板２ｂの上面は、正面から貫通孔２ａを斜視できるように傾斜がつけられている。一方、厚板２ｂの下面は、平坦である。厚板２ｂの上面の両端部には、ガイド３が接続されている。厚板２ｂの下面が六角棒スパナ台１の底板部１ａに対して平行になるように、支持部２の裏面が六角棒スパナ台１の正面の上方部に接合されている。
【００２５】
ガイド３は、貫通孔２ａに挿入された六角棒スパナの短柄を案内できるように、棒材を折り曲げて支持台２の上面の両端部に接合される。六角棒スパナを収納する際、短柄をガイド３に向けながら六角棒スパナを貫通孔２ａに挿入すると、六角棒スパナの短柄がガイドに案内されて一方向に揃えられ、そのまま支持される。このように、ガイド３によって六角棒スパナの短柄の方向が、整然と一方向に揃った状態で支持されているため、見た目にも美しく、かつ取り出し易い。
【００２６】
ガイド３の高さと奥行きは、案内される各六角棒スパナのサイズにあわせて調整されていることが好ましい。具体的には、例えば、図２（ａ）及び図２（ｂ）に示すように、案内及び支持する六角棒スパナのサイズが大きくなるにつれて、それに対応するガイド３の高さ及び奥行きも大きくなるように折り曲げる。このような作用を奏するものであれば、ガイド３は、棒材に限らず、例えば薄い板材を折り曲げて構成してもよい。
【００２７】
図３に示すように、六角棒スパナ台１の側面形状は、底板部１ａを１辺とする略Ｌ字形である。この底板部１ａの上面に六角棒スパナの下端が載せられる。底板部１ａの下面は接地面となる。このような形状であると六角棒スパナの下端の周囲に塵が溜まりにくい。
【００２８】
なお、支持部２は、上述のように厚板２ｂに貫通孔２ａを設けたものに限らず、例えば薄い板とパイプとを組み合わせて構成してもよく、或いはその他の部材を用いて構成してもよい。薄い板とパイプとを用いる場合、それらの部材を必要に応じて所定の形状に切断してバーリング加工や折り曲げ加工等を施した後、それらを組み立て、溶接や接続部材等を用いて接合することで支持部２を構成してもよい。
【００２９】
図１３は、バーリング加工された板材とパイプとで構成された貫通孔の例を示す図である。図１３（ａ）は、貫通孔の構成例を示す斜視図であり、図１３（ｂ）は、正面から見た図である。これらの図に示すように、支持部２の上面及び下面を薄い板材で構成し、バーリング加工により上面は下面方向に向かって高さを有する穴部２ａｂを、下面は上面方向に向かって高さを有する穴部２ａｂをそれぞれ形成し、これらの穴部にパイプ部材２ａｐを嵌め込むことで貫通孔２ａを構成している。なお、図１３（ａ）及び図１３（ｂ）では、六角棒スパナのスタンドの一部だけを示してその他を省略しているが、他の貫通孔も同様に構成する。
【００３０】
図４は、六角棒スパナを収納した第１の実施形態の六角棒スパナのスタンドを示す図である。図４に示すように、各六角棒スパナの短柄はガイド３によって所定の方向に向きを揃えて収納される。そのため、六角棒スパナの収納状態で見た目にも美しく、かつ取り出し易い。特に、サイズの小さい六角棒スパナを取り出す場合や隣接する六角棒スパナの距離が近い場合でも、所望の六角棒スパナを指で回して摘んで引き上げることで隣接する六角棒スパナに接触することなく容易に取り出すことができる。
【００３１】
六角棒スパナ台１及び支持部２の角は、安全のため、面取りしたり、丸めたり、多角形にしたりしておくことが好ましい。また、貫通孔２ａの両端部を面取り等してもよい。
【００３２】
なお、六角棒スパナのスタンドは、防錆、六角棒スパナと接触する接触部の補強や摩擦の軽減等を目的として、その各部にめっきや表面処理を施していてもよい。
【００３３】
（第２の実施形態）
第２の実施形態では、スタンド自体を傾斜させて保持する補助台をさらに備えた六角棒スパナのスタンドについて説明する。
【００３４】
図５は、第２の実施形態の六角棒スパナのスタンドの補助台を示す斜視図である。また、図６は、第２の実施形態の六角棒スパナのスタンドの補助台を示す図であり、図６（ａ）は、上方から見た平面図であり、図６（ｂ）は、正面から見た正面図である。また、図７は、第２の実施形態の六角棒スパナのスタンドの補助台を示す図であり、図７（ａ）は、正面から向かって右側から見た右側面図であり、図７（ｂ）は、正面から向かって左側から見た左側面図である。補助台５は、スタンド保持部５ａと、底板部５ｂと、保持位置調整手段（アジャスター）５ｃとを備える。スタンド保持部５ａは、図１の六角棒スパナのスタンドの外周を覆うことができるような形状となっている。底板部５ｂは、スタンド保持部５ａに対して所定の傾斜角をなして接している。保持位置調整手段５ｃは、ネジ及びネジ穴を有し、２箇所のネジ穴を通してネジをスタンド保持部５ａの内側面に押し当ててスタンドを固定する。
【００３５】
補助台５は、板材を加工してスタンド保持部５ａの部分と底板部５ｂの部分と保持位置調整手段５ｃのネジ穴等を形成し、これを折り曲げて溶接等することで容易に得られる。補助台５の材質は、六角棒スパナのスタンドと同様なものを用いてもよい。また、補助台５は、六角棒スパナのスタンドと同様に角の面取り、各部のめっきや表面処理等を施していてもよい。
【００３６】
なお、六角棒スパナのスタンドは、補助台の代わりに、貫通孔を接地面に対して傾斜させて設けたり、スタンドを傾斜させる傾斜支持部等の傾斜機構を設けたりしてもよい。
【００３７】
なお、六角棒スパナのスタンドは、錆等防止、六角棒スパナと接触する接触部の補強や摩擦を軽減するために、その各部にめっきや表面処理を施していてもよい。
【００３８】
図８は、六角棒スパナのスタンドを補助台で保持した状態を示す斜視図である。六角棒スパナのスタンド１１は、図８に示すように、補助台５に保持されて傾斜している。六角棒スパナのスタンド１１は、図示しない保持位置調整手段５ｃのネジによって補助台５に固定されている。
【００３９】
図９（ａ）及び図９（ｂ）は、六角棒スパナを六角棒スパナのスタンドに収納する様子を示す図である。図９（ａ）は、六角棒スパナを貫通孔に挿入した直後の状態示す図であり、図９（ｂ）は、六角棒スパナの収納後の状態を示す図である。図９（ａ）に示すように、六角棒スパナ４ａを貫通孔２ａａに短柄を手前に向けて挿入すると、自重により、Ｄの方向に下端が接触するまで進み、さらに貫通孔２ａａを軸にしてＲの方向に回転する。回転はガイド３に接触して止まる結果、柄の向きが揃えられる。
【００４０】
図１０（ａ）及び図１０（ｂ）は、六角棒スパナのスタンドの保持位置を変更した状態を示す図であり、図１０（ａ）は、正面前方から見た斜視図であり、図１０（ｂ）は、正面から向かって左側から見た側面図である。六角棒スパナのスタンド１１は、補助台５が保持位置調整手段５ｃでスタンドの中段部に保持されている。図１０（ｂ）に示すように、六角棒スパナのスタンド１１は、補助台５の保持位置調整手段５ｃの保持する位置でスタンド１１の傾斜を調整することができる。
【００４１】
（第３の実施形態）
図１１は、２つに分けて構成した１セットの六角棒スパナのスタンド１１１、１１２を一列に並べた例を示している。このように六角棒スパナのスタンドを２つに分けると、各スタンド１１１、１１２は、コンパクトにできるため持ち運びし易くなる。また、２つの六角棒スパナのスタンド１１１、１１２は、そのスタンド１１１、１１２の各部や補助台５１、５２に接続部を設け、その接続部で相互に接続して１つにまとめてもよい。
【００４２】
図１２は、補助台を備える２つの六角棒スパナのスタンドを二列に並べた状態を示す図である。図１２に示すように、２つの六角棒スパナのスタンド１１１、１１２を二列に並べ、１セットの六角棒スパナ４を２つに分けて収納してもよい。補助台５１の底板部の先端部は、図６（ａ）に示すように、補助台５２の正面の空きスペースに挿入できるように略凸部にしているため、図１２の六角棒スパナのスタンド１１１及び１１２の配置スペースは、各スタンド１１１，１１２を個々に配置したときよりも少なくて済む利点がある。
【００４３】
（第４の実施形態）
図１４は、第４の実施形態の六角棒スパナのスタンドを示す斜視図である。第１の実施形態の六角棒スパナのスタンドと同様の構成には同じ符号を用いている。図１４に示すように、六角棒スパナのスタンド２０は、その貫通孔２１の上端部にテーパー部２２が設けられている。
【００４４】
図１５は、テーパー部を有する貫通孔を示す図であり、図１４のＡ−Ａ線を矢印の方向に見た拡大断面図である。貫通孔内の破線は貫通孔にテーパー加工が施される前の部分Ａ１を示す。図１６は、テーパー部を有する貫通孔の断面を上方から見た図である。なお、図１５及び図１６では、ガイドや詳細な部分は省略している。
【００４５】
図１５及び図１６から明らかなように、テーパー部２２は、貫通孔の入り口は広げるために設けられるものであり、貫通孔の径は下端部よりも上端部の方が大きい。こうすることによって六角棒スパナを貫通孔に挿入しやすくすることができる。特に、サイズの小さな六角棒スパナに対応する貫通孔は孔径も小さく挿入し難いため、このように貫通孔の入り口を広げておくことで一層使いやすくなる。
【００４６】
なお、テーパー部２２の下端Ｔは貫通孔２１の上端部Ｐよりも低い位置に設けられていることが好ましい。こうすると六角棒スパナを広がった貫通孔のテーパー部２２に沿って滑らせながら貫通孔２１に挿入すれば必ず反対側の壁Ａ２に当たるため、当たりの部分を視認しなくても容易に挿入することができるからである。そして、第１の実施形態等で説明したとおり、六角棒スパナを貫通孔２１に挿入させた後は、ガイド３が六角棒スパナの短柄の向きを所定の方向に揃えることができる。
【００４７】
図１４には、テーパー部２２が貫通孔の径の小さい側から順に２つの貫通孔に設けられているが、テーパー部２２は任意の貫通孔に設けることができる。さらに、テーパー部２２は、その表面が曲面や段部になっていてもよく、六角棒スパナを滑り易くするために表面加工されていてもよい。テーパー部２２の上端面にあらわれる形状は、略円形だけでなく、角形やその一部が湾曲した形状等様々な形状であってもよい。テーパー部２２のテーパー角は、貫通孔２１に応じて適宜調整すればよいため、この図に示すようなものに限られない。例えば、テーパー部２２の下端Ｔが貫通孔の下端に設けられていてもよい。
【産業上の利用可能性】
【００４８】
本発明によれば、簡単な構造で、収納及び取り出しが容易で使い易いＬ字状六角棒スパナのスタンドを得ることができ、現場での作業効率を大幅に向上させることができる。従って、本発明の産業上の利用可能性は極めて大きい。
【符号の説明】
【００４９】
１  六角棒スパナ台
１ａ  底板部
２  支持部
２ａ、２１  貫通孔
２ｂ  厚板
３  ガイド
４  Ｌ字状六角棒スパナ（六角レンチ）
５  補助台
５ａ  スタンド保持部
５ｂ  底板部
５ｃ  保持位置調整手段
１１、２０  六角棒スパナのスタンド
２２  テーパー部
【図１】
2012008377.tif 000003
【図２】
2012008377.tif 000004
【図３】
2012008377.tif 000005
【図４】
2012008377.tif 000006
【図５】
2012008377.tif 000007
【図６】
2012008377.tif 000008
【図７】
2012008377.tif 000009
【図８】
2012008377.tif 000010
【図９】
2012008377.tif 000011
【図１０】
2012008377.tif 000012
【図１１】
2012008377.tif 000013
【図１２】
2012008377.tif 000014
【図１３】
2012008377.tif 000015
【図１４】
2012008377.tif 000016
【図１５】
2012008377.tif 000017
【図１６】
2012008377.tif 000018
【手続補正書】
【提出日】平成24年4月4日(2012.4.4)
【手続補正１】
【補正対象書類名】特許請求の範囲
【補正対象項目名】全文
【補正方法】変更
【補正の内容】
【特許請求の範囲】
【請求項１】
Ｌ字状の六角棒スパナのスタンド（１１）であって、
六角棒スパナの下端を載せるための平坦な面を有する六角棒スパナ台（１）と、
前記六角棒スパナ台の前記平坦な面の上方に六角棒スパナ径の大きさの順に並べて設けられた貫通孔（２ａ）を有する支持部（２）と、
前記スタンドを傾斜させることで六角棒スパナの向きを揃えるためのガイド（３）とを備え、
前記貫通孔は、前記六角棒スパナを自重で回転自在に保持できるクリアランスを有する  ことを特徴とする六角棒スパナのスタンド。
【請求項２】
前記ガイドは、一連の傾斜部を有する
ことを特徴とする請求項１記載の六角棒スパナのスタンド。
【請求項３】
前記支持部は、
正面及び裏面を略三角形とする厚板であり、
前記貫通孔は、
前記支持部の上面から前記支持部の下面まで鉛直に設けられている
ことを特徴とする請求項１記載の六角棒スパナのスタンド。
【請求項４】
前記支持部の上面は、正面方向に傾斜している
ことを特徴とする請求項３に記載の六角棒スパナのスタンド。
【請求項５】
前記貫通孔は、
前記六角棒スパナの長柄を前記長柄の周りに回転自在に保持するとともに、
前記六角棒スパナの重心を保持する
ことを特徴とする請求項１乃至４のいずれか１項に記載の六角棒スパナのスタンド。
【請求項６】
前記スパナ台は、
側面をＬ字状とする板で構成されている
ことを特徴とする請求項１乃至４のいずれか１項に記載の六角棒スパナのスタンド。
【請求項７】
Ｌ字状の六角棒スパナのスタンド（１１）であって、
六角棒スパナの下端を載せるための平坦な面を有する六角棒スパナ台（１）と、
前記六角棒スパナ台の上方に六角棒スパナ径の大きさの順に並べて設けられた貫通孔（２ａ）を有する支持部（２）と、
六角棒スパナの向きを揃えるためのガイド（３）と、補助台（５）とを備え、
前記補助台は、
前記支持部を保持する保持部（５ａ）と、
前記保持部を傾斜させて支持する底板部（５ｂ）とを備える
ことを特徴とする六角棒スパナのスタンド。
【請求項８】
前記補助台は、さらに、
前記支持部の保持位置を調節する調節手段（５ｃ）を備える
ことを特徴とする請求項７記載の六角棒スパナのスタンド。
【請求項９】
前記底板部は、
他の補助台に挿入する挿入部を備え、
前記保持部は、
他の補助台の挿入部を挿入するための空間を形成し、
補助台同士を並べる際、
一方の前記空間に他方の前記挿入部を挿入する
ことを特徴とする請求項７又は８に記載の六角棒スパナのスタンド。
【請求項１０】
前記貫通孔の径は、下端部よりも上端部の方が大きい
ことを特徴とする請求項１乃至４のいずれか１項に記載の六角棒スパナのスタンド。
【請求項１１】
前記貫通孔は、上端部の一部にテーパー部を有する
ことを特徴とする請求項１０記載の六角棒スパナのスタンド。
【請求項１２】
前記テーパー部の下端の位置は、前記上端部よりも低い
ことを特徴とする請求項１１記載の六角棒スパナのスタンド。
【手続補正２】
【補正対象書類名】明細書
【補正対象項目名】０００７
【補正方法】変更
【補正の内容】
【０００７】
本発明に係る六角棒スパナのスタンドは、六角棒スパナの下端を載せるための平坦な面を有する六角棒スパナ台と、六角棒スパナ台の平坦な面の上方に六角棒スパナ径の大きさの順に並べて設けられた貫通孔を有する支持部と、スタンドを傾斜させることで六角棒スパナの向きを揃えるためのガイドとを備え、貫通孔は、六角棒スパナを自重で回転自在に保持できるクリアランスを有することを特徴とする。
【手続補正３】
【補正対象書類名】明細書
【補正対象項目名】００１４
【補正方法】変更
【補正の内容】
【００１４】
本発明に係る六角棒スパナのスタンドの六角棒スパナ台は、さらに、補助台を備え、補助台は、支持部を保持する保持部と、保持部を傾斜させて支持する底板部とを備えることが好ましい。このようにすると、六角棒スパナの収納の際六角棒スパナの自重により柄の向きを揃えることができる。
【手続補正４】
【補正対象書類名】明細書
【補正対象項目名】００１６
【補正方法】変更
【補正の内容】
【００１６】
本発明に係る六角棒スパナのスタンドの補助台の底板部は、他の補助台に挿入する挿入部を備え、本発明に係る六角棒スパナのスタンドの補助台の保持部は、他の補助台の挿入部を挿入するための空間を形成し、補助台同士を並べる際、一方の空間に他方の挿入部を挿入するように構成することが好ましい。このようにすると、個々に補助台を並べるときよりも省スペースにすることができる。
【手続補正５】
【補正対象書類名】図面
【補正対象項目名】図６
【補正方法】変更
【補正の内容】
【図６】
2012008377.tif 000019
【国際調査報告】
2012008377.tif 000020
2012008377.tif 000021
2012008377.tif 000022
2012008377.tif 000023